(57)【特許請求の範囲】
【請求項１】
ベッド用フレームと、
このベッド用フレームの上部に前後方向に移動できるように取付けられ、かつ前後部のいずれかにシーツの透過孔を有する、多数個のローラにより形成されたものである移動パットと、
この移動パット上に敷設される前記ベッド用フレームの先端部に一端部が着脱可能に取付けられ、他端部が前記移動パットのシーツの透過孔より下方へ位置される第１のシーツと、
この第１のシーツの他端部を該第１のシーツにたるみが生じないように支持する支持具あるいは該第１のシーツにたるみが生じないように下方に押圧する押圧具と、
前記移動パット上に敷設することができる、前記ベッド用フレームの後端部に一端部が着脱可能に取付けられ、他端部が前記移動パットのシーツの透過孔より下方へ位置される第２のシーツと、
前記移動パットのシーツの透過孔が前記ベッド用フレームの後部より前方へ移動しながら、前記第１のシーツを該移動パットの下部へ収納するとともに、前記第２のシーツを該移動パットの下部から上方へ出すことができる移動パット移動装置とからなるとともに、
前記移動パットに直接的に前記第２のシーツを敷くことを実現したことを特徴とするベッド。
【発明の詳細な説明】
【技術分野】
【０００１】
本発明は寝たきりの病人や身体が不自由な人が最適に使用することができるベッドに関する。
【背景技術】
【０００２】
従来、寝たきりの病人が使用するベッドでのシーツ交換は介護者が病人を横向きになるように回動し、この状態で病人の背中の近くまで、使用しているシーツの片側半分を寄せるとともに、新しいシーツの片側半分を使用しているシーツの寄せた部位に敷設し、反対側半分を病人の背中の近くに位置させる。
【０００３】
しかる後、病人を元の状態に戻しながら反対の横向きとなるように回動させて使用しているシーツを外すとともに、新しいシーツの反対側半分を敷設して、病人を元の状態へ戻す作業で行なっていた。
【０００４】
しかしながら、このような作業は大変で、２人の介護者が必要となり、コスト高となり、気軽にシーツの交換ができないという欠点があった。
【先行技術文献】
【特許文献】
【０００５】
【特許文献１】特開２００１−１２０６０６号公報
【発明の概要】
【発明が解決しようとする課題】
【０００６】
本発明は以上のような従来の欠点に鑑み、ベッドで寝ている病人や身体の不自由者を触ることなく、新しいシーツに介護者１人でも簡単な作業で、安価に寝ている病人や身体の不自由な人に不安を与えることなく交換することができるベッドを提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明はベッド用フレームと、このベッド用フレームの上部に前後方向に移動できるように取付けられ、かつ前後部のいずれかにシーツの透過孔を有する、多数個のローラにより形成されたものである移動パットと、この移動パット上に敷設される前記ベッド用フレームの先端部に一端部が着脱可能に取付けられ、他端部が前記移動パットのシーツの透過孔より下方へ位置される第１のシーツと、この第１のシーツの他端部を該第１のシーツにたるみが生じないように支持する支持具あるいは該第１のシーツにたるみが生じないように下方に押圧する押圧具と、前記移動パット上に敷設することができる、前記ベッド用フレームの後端部に一端部が着脱可能に取付けられ、他端部が前記移動パットのシーツの透過孔より下方へ位置される第２のシーツと、前記移動パットのシーツの透過孔が前記ベッド用フレームの後部より前方へ移動しながら、前記第１のシーツを該移動パットの下部へ収納するとともに、前記第２のシーツを該移動パットの下部から上方へ出すことができる移動パット移動装置とからなるとともに、前記移動パットに直接的に前記第２のシーツを敷くことを実現したことを特徴とするベッドを構成している。
【発明の効果】
【０００９】
以上の説明から明らかなように、本発明にあっては次に列挙する効果が得られる。
（１）請求項１により、移動パットを移動させることにより、使用しているシーツは移動パットのシーツ透過孔より下部へ移動し、新しいシーツはシーツ透過孔より移動パット上へ移動させることができる。
したがって、移動パット上の病人や身体の不自由な人は使用しているシーツ上にいるため、該使用しているシーツは順次移動パットの下部へ移動し、新しいシーツは順次上方へ移動するため、動くことなく、使用しているシーツから新しいシーツに交換することができる。
このため、病人や身体の不自由な人に不安を与えることなく、新しいシーツに交換することができる。
（２）前記（１）により、移動パットは移動するが、この移動パット上の使用しているシーツや新しいシーツは移動パットの移動によっては移動しないので、病人や身体の不自由な人を動かすことなく、シーツの交換を行なうことができる。
（３）前記（１）により、使用しているシーツである第１のシーツの一端部をベッド用フレームの先端部に着脱可能に取付け、他端部を移動パットのシーツ透過孔より下方へ位置させ、新しいシーツである第２のシーツの後端部をベッド用フレームの後端部に着脱可能に取付け、先端部を移動パットのシーツ透過孔より下方に位置させ、移動パット移動装置を駆動させて移動パットを移動させることにより、自動的に使用している第１のシーツはシーツ透過孔より下部へ収納され、新しいシーツである第２のシーツはシーツ透過孔より上方へ突出させることができる。
このため、簡単な操作でシーツの交換を行なうことができる。
【図面の簡単な説明】
【００１０】
【図１】本発明を実施するための第１の形態の平面図。
【図２】本発明を実施するための第１の形態の正面図。
【図３】図１の３−３線に沿う断面図。
【図４】本発明を実施するための第１の形態の移動パットの動作説明図。
【図５】移動パットの移動による第１のシーツと第２のシーツの動作説明図。
【図６】本発明を実施するための第２の形態の平面図。
【図７】本発明を実施するための第２の形態の正面図。
【図８】図６の８−８線に沿う断面図。
【図９】本発明を実施するための第３の形態の平面図。
【図１０】本発明を実施するための第３の形態の正面図。
【図１１】図９の１１−１１線に沿う断面図。
【図１２】本発明を実施するための第４の形態の平面図。
【図１３】本発明を実施するための第4の形態の正面図。
【図１４】図１２の１４−１４線に沿う拡大断面図。
【図１５】本発明を実施するための第4の形態の逆方向のシーツの交換の説明図。
【発明を実施するための形態】
【００１１】
以下、図面に示す本発明を実施するための形態により、本発明を詳細に説明する。
【００１２】
図１ないし図５に示す本発明を実施するための第１の形態において、１は使用者が寝ていても、使用者に触ることなく新しいシーツに交換することができる本発明のベッドで、このベッド１はベッド用フレーム２と、このベッド用フレーム２の上面に前後方向に移動できるように取付けられた前後部のいずれかにシーツの透過孔３を有する移動パット４と、この移動パット４上に敷設される、前記ベッド用フレーム２の先端部に一端部が着脱可能に取付けられ、他端部が前記移動パット４のシーツ透過孔３より下方へ位置される第１のシーツ５と、この第１のシーツ５の他端部を、該第１のシーツ５にたるみが生じないように支持するアイボルト状の支持具６と、前記移動パット４上に敷設することができる前記ベッド用フレーム２の後端部に一端部が着脱可能に取付けられ、他端部が前記移動パット４のシーツの透過孔３より下方へ位置される第２のシーツ７と、前記移動パット４のシーツ透過孔３が前記ベッド用フレーム２の後端部より前方へ移動しながら前記第１のシーツ５である使用しているシーツを、該移動パット４の下部へ収納するとともに、前記第２のシーツ７である新しいシーツを、該移動パット４の下部から上方へ出すことができる移動パット移動装置８とで構成されている。
【００１３】
前記ベッド用フレーム２は一対の枠状の側枠フレーム９、９と、この一対の側枠フレーム９、９が所定間隔で固定する、該一対の側枠フレーム９、９の両端上下部間に設けられた一対の上・下間隔バー１０、１０、１０、１０と、前記一対の側枠フレーム９、９の上部位置のフレーム９ａ、９ａにそれぞれ設けられた内側方向へ突出するガイドレール１１、１１とで構成されている。
【００１４】
前記移動パット４は前記ベッド用フレーム２のガイドレール１１、１１、該ガイドレール１１、１１の端部位置の前記側枠フレーム９、９に取付けられた上部ローラ１２、１２、この上部ローラ１２、１２の下部位置の前記側枠フレーム９、９に取付けられた下部ローラ１３、１３によってスライド移動するように取付けられた多数個のローラ１４を所定間隔で、取付具１５で接続され、かつ前記ガイドレール１１、１１の両端部寄りの部位にシーツ透過孔３、３、３が位置するように設けられた無限軌道状に構成されたものが使用されている。
【００１５】
前記第１のシーツ５と前記第２のシーツ７は同じ構成で、前記移動パット４のシーツ透過孔３、３間の長さよりも長いシーツ本体１６と、このシーツ本体１６の一端部の両側部に取付けられた、前記ベッド用フレーム２の先端部に設けられたシーツ取付具１７、１７に着脱可能に取付けられる紐１８、１８と、前記シーツ本体１６の他端部の両側部に取付けられた前記支持具６に取付けられる紐１９、１９とで構成されている。
【００１６】
前記アイボルト状の支持具６は前記ベッド用フレーム２の後端部の側枠フレーム９、９の下部位置の部材に取付けられている。
【００１７】
前記移動パット移動装置８は前記移動パット４の多数個のローラ１４のローラ１４、１４間に先端部が順次入り込む下部ローラ１３としてのスプロケット１３ａ、１３ａと、このスプロケット１３ａ、１３ａがモータ本体２０の両端部へ突出する駆動軸２１の両端部に取付けられたモータ２２とで構成されている。
【００１８】
上記構成のベッド１は移動パット４のシーツ透過孔３、３をベッド用フレーム２の前方部位と後方部位に位置させ、第１のシーツ５の一端部の紐１８、１８をベッド用フレーム２の先端部のシーツ取付具１７、１７に取付ける。
【００１９】
しかる後、他端部を移動パット４上に敷設して、ベッド用フレーム２の後方のシーツ透過孔３より下方へ位置させ、他端部の紐１９、１９をアイボルト状の支持具６、６に第１のシーツ５にたるみが生じないように取付ける。
この状態でベッド１を使用する。
【００２０】
シーツの交換をする場合、第２のシーツ７の一端部をベッド用フレーム２の後方のシーツ透過孔３に投入して下方へ垂らすとともに、他端部の紐１９、１９をベッド用フレーム２の後端部のシーツ取付具２３、２３に取付ける。
【００２１】
この状態で移動パット移動装置８のモータ２２を駆動させると、下部ローラ１３としてのスプロケット１３ａ、１３ａが回転し、無限軌道状の移動パット４が前方へ移動する。
【００２２】
この移動パット４の移動で第２のシーツ７は後方のシーツ透過孔３より順次移動パット４上へ移動するとともに、第１のシーツ５の後方は後部シーツの透過孔３より下方へ移動し、第１のシーツ５と第２のシーツ７の交換を行なうことができる。
【００２３】
この時、移動パット４上に位置する第１のシーツ５、第２のシーツ７は前後方向に移動することなく、移動パット４のシーツ透過孔３より移動パット４上に位置したり、移動パット４の下方へ位置するだけであるので、第１のシーツ５、第２のシーツ７上に位置する寝たきりの病人や身体の不自由な人は、何ら移動することなく第１のシーツ５から第２のシーツ７に換わる。
【００２４】
後部シーツ透過孔３がベッド用フレーム２の前方に位置すると、モータ２２を停止させ、第１のシーツ５の先端部の紐１８、１８と後端部の紐１９、１９をシーツ取付具１７、１７、支持装置６より取り外してベッド１より取出すとともに、第２のシーツ７の先端部をシーツ透過孔３より上方へ出し、先端部の紐１８、１８をベッド用フレーム２の前方のシーツ取付具１７、１７に取付けることにより、シーツの交換作業が完了する。
【００２５】
次にシーツを交換する場合には、ベッド用フレーム２の後部のシーツ取付具２３、２３に取付けられているシーツ７の後端部の紐１９、１９を取り外してシーツ透過孔３より下方へ位置させ、支持具６の紐１９、１９に取付ける作業を行なうとともに、前述と同じ操作を行なうことで行なうことができる。
【００２６】
[発明を実施するための異なる形態]
次に、図６ないし図１５に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２７】
図６ないし図８に示す本発明を実施するための第２の形態において、前記本発明を実施するための第１の形態と主に異なる点は、ベッド用フレーム２の上面を往復移動することができる移動パット４Ａを用いるとともに、該移動パット４Ａの両端部に接続された下部ローラ１３、１３によって案内される移動ワイヤー２４、２４を往復移動させる両端部へ突出する駆動軸２５の両端部にプーリー２６、２６が取付けられた正・逆回転モータ２７を用いた移動パット移動装置８Ａを用いた点で、このように構成したベッド１Ａにしても、移動パット４Ａを移動パット移動装置８Ａで往復移動させることにより、前記本発明を実施するための第１の形態と同様な作用効果が得られる。
【００２８】
図９ないし図１１に示す本発明を実施するための第３の形態において、前記本発明を実施するための第１の形態と主に異なる点は、複数個のスライドバー２８を所定間隔で、取付具１５で接続して無限軌道状にした移動パット４Ｂを用いた点で、このような移動パット４Ｂを用いて構成したベッド１Ｂにしても、前記本発明を実施するための第１の形態と同様な作用効果が得られる。
【００２９】
なお、本発明の実施の形態において、複数個のスライドバー２８の両端部のガイドレール１１、１１と接触する部分にスベリ材を固定したものを用いたり、ローラを取付けたものを用いてもよい。
【００３０】
図１２ないし図１５に示す本発明を実施するための第４の形態において、前記本発明を実施するための第２の形態と主に異なる点は、ベッド用フレーム２のガイドレール１１、１１間に配置される円柱状の移動パット本体４ａ、この移動パット本体４ａの軸２９の両端部に取付けられたベッド用フレーム２のガイドレール１１、１１上を転動する一対の転動ローラ３０、３０とをシーツの透過孔３を有するように所定間隔で配置した移動パット４Ａと、この移動パット４Ａのシーツの透過孔３部の移動パット本体４ａの軸２９の両端部寄りの部位に軸受３３を介して回転可能に取付けられた支持金具３６、３６、この支持金具３６、３６の下部位置に軸受３５を介して回転可能に取付けられた前記移動パット本体４ａとシーツを介して接触回転することができる接触ローラ３１、この接触ローラ３１の軸３４の両端部に取付けられた該接触ローラ３１を回転させるハンドル３２、３２とからなる動力伝達手段３７とからなる移動パット移動装置８Ｂとを用いた点で、このように構成された移動パット移動装置８Ｂを用いたベッド１Ｃにしても、前記本発明を実施するための第２の形態と同様な作用効果が得られる。
【００３１】
なお、移動パット本体４ａ、接触ローラ３１および接触ローラ３１の軸３４を回転させるハンドル３２で第１のシーツにたるみが生じないように下方に押圧する押圧具となっている。
【００３２】
すなわち、シーツの透過孔３より第１のシーツ５の端部を移動パット本体４ａと接触ローラ３１との間を通過するように配置し、移動パット移動装置８Ａのハンドル３２を図１３では反時計廻りに回転させると、シーツは移動パット本体４ａと接触ローラ３１との間に接触しているため、接触ローラ３１の回転方向に引張られる。すなわち、シーツは下方に押し出される状態となり、かつ下方に押し出されるシーツによって移動パット本体４ａは図１３では左方向に移動するためも、接触ローラ３１の回転で移動パット移動装置としての機能を有する。
【００３３】
なお、図１５の状態から、シーツを取り替える場合には取り替えるシーツの端部を移動パット本体４ａと接触ローラ３１との間を通過するように配置するとともに、新しいシーツをシーツの透過孔３より下方に垂らしておくことにより、ハンドル３２を図１５では時計廻りに回転させると、シーツは移動パット本体４ａと接触ローラ３１との間に接触しているため、接触ローラ３１の回転方向に引張られる。すなわち、シーツは下方に押し出される状態となり、かつ下方に押し出されるシーツによって移動パット本体４ａは図１５では右方向に移動して、使用したシーツを新しいシーツに取り替えることができる。
【産業上の利用可能性】
【００３４】
本発明は主に寝たきりの病人や身体の不自由な人が使用するベッドを製造する産業で利用される。
【符号の説明】
【００３５】
１、１Ａ、１Ｂ、１Ｃ：ベッド、２：ベッド用フレーム、
３：シーツ透過孔、            ４、４Ａ、４Ｂ：移動パット、
５：第１のシーツ、            ６：アイボルト状の支持装置（押圧具）、
７：第２のシーツ、            ８、８Ａ、８Ｂ：移動パット移動装置、
９：側枠フレーム、            １０：間隔バー、
１１：ガイドレール、          １２：上部ローラ、
１３：下部ローラ、            １４：ローラ、
１５：取付具、                １６：シーツ本体、
１７：シーツ取付具、          １８：紐、
１９：紐、                    ２０：モータ本体、
２１：駆動軸、                ２２：モータ、
２３：シーツ取付具、          ２４：ワイヤー、
２５：駆動軸、                ２６：プーリー、
２７：正・逆回転モータ、      ２８：スライドバー、
２９：軸、                    ３０：転動ローラ、
３１：接触ローラ（押圧具）、
３２：ハンドル、              ３３：軸受、
３４：軸、                    ３５：軸受、
３６：支持金具、              ３７：動力伝達手段。
【図１】
0005240695.tif 000002
【図２】
0005240695.tif 000003
【図３】
0005240695.tif 000004
【図４】
0005240695.tif 000005
【図５】
0005240695.tif 000006
【図６】
0005240695.tif 000007
【図７】
0005240695.tif 000008
【図８】
0005240695.tif 000009
【図９】
0005240695.tif 000010
【図１０】
0005240695.tif 000011
【図１１】
0005240695.tif 000012
【図１２】
0005240695.tif 000013
【図１３】
0005240695.tif 000014
【図１４】
0005240695.tif 000015
【図１５】
0005240695.tif 000016